(57)【特許請求の範囲】
【請求項１】
強靭な基材と、強力な接着力を具えた合成樹脂フイルム製の荷造テープを主として使用するハンドパッケージングシーラーにおいて、手持ハンドル部２の上方に荷造テープ７に回転抵抗を付与して回転自在に支承する架台部４と、その架台部４に対応し、荷造テープ７の外周面に連接して荷造テープ７の先端を剥離する角付けローラ５と、その角付けローラ５と離隔し同一面上に対応する圧着ローラ１７と、その角付けローラ５と圧着ローラ１７との間に荷造テープ７の引出し部７ｄの一側縁に対応するループ型縁折りガイド部１９ａを配備したループ型縁折り機構１８とを具備してなる荷造テープの縁折り貼着装置１であって、前記架台部４は、手持ハンドル部２と一体に形成する機枠３における左右側板３ａ、３ｂの上部背縁に弧状形に形成し、これら左右側板３ａ、３ｂに上方側に角付けローラ５、下方側に角付け保持縁６を差し渡して荷造テープ７の外周面を連接可能に設けると共に、一方の側板３ａの内面を、荷造テープ７の一側外面を連接して規制する定置面に設け、架台部４の軸受孔８ａ、８ｂに回転自在に支承し、コイルバネ９の作用で架台部４に連接する荷造テープ７の内径面に連接して荷造テープ７に所要の回転抵抗を付与して架台部４に引き出し回転自在に弾圧支持するコ字形弾圧押え棒１０を配備し、前記架台部４は、前記側板３ａ、３ｂの前方側上部に支承板１１を差し渡し形成し、この支承板１１の上面に、横方向の案内溝１２および上下に貫通し、かつ横方向に開口するスライド許容孔１３を前後に平行に設け、前記荷造テープ７の反対の側外面に連接し、移動を規制する規制片１４ａを対設した規制板１４を前記支承板１１上に配備して前記案内溝１２およびスライド許容孔１３に沿って横方向にスライド自在であると共に、引上げ挟持片１５を支承板１１の下方に、前記スライド許容孔１３に貫通する固定軸１６に螺合して配備し、この固定軸１６の頭部１６ａを摘んで回転することにより支承板１１を規制板１４と引上げ挟持片１５で挟持して規制片１４ａを荷造テープ７の幅に適合して定置できるように設け、前記ループ型縁折り機構１８は、一側にループ型縁折りガイド部１９ａを形成したガイド板１９の左右側縁に、前左右スライド部２０ａ、２０ｂと後左右スライド部２１ａ、２１ｂを、前後に所要の間隔で、左右に所要幅で所要長さ突出せて設け、前記機枠３の左右側板３ａ、３ｂに、前記前左右スライド部２０ａ、２０ｂおよび後左右スライド部２１ａ、２１ｂに夫々対応して設けた前左右軸受孔２２ａ、２２ｂと後左右軸受孔２３ａ、２３ｂにスライド自在に嵌合し、かつガイド板１９の上面にナット２４ａを内臓した螺合部２４を設け、この螺合部２４に、左側板３ｂの取付孔２５に貫通して差し込まれた調整軸２６のネジ部２６ａを螺合し、調整軸２６の頭部２６ｂをもって回転させることにより前記ガイド板１９を左右にスライドし、荷造テープ７の引き出し部７ｄの一側の縁折り部７ｄ１の幅を調整させてなるハンドパッケージングシーラーにおける荷造テープの縁折り貼着装置。
【請求項２】
手持ハンドル部２の上方に構成される機枠３の左右側板３ａ、３ｂの前端上部間に刃物台主部３０を差し渡し一体に形成し、その上面に突歯３１ａを具えた切断刀３１を交換自在に固定し、刃物台主部３０の後縁から上方へ、荷造テープ７の引き出し部７ｄを切断する時の押さえバネ板３４を立設してなる請求項１のハンドパッケージングシーラーにおける荷造テープの縁折り貼着装置。
【発明の詳細な説明】
【０００１】
【発明が属する技術分野】
この発明は、強靭な基材と、強力な接着力を具えた合成樹脂フイルム製の荷造テープ等を主として使用するハンドパッケージングシーラーにおいて、荷造テープの一側を縁折り接着してから段ボール箱の蓋部等の対象部分に接着し、その終端を切断するハンドパッケージングシーラーにおける荷造テープの縁折り貼着装置に関するものである。
【０００２】
【従来の技術】
従来、荷造テープは、紙管に巻回されており、その状態で、または適度な回転抵抗を付与してセット器にセットした状態で、手に持って荷造り段ボールの蓋部等の対象部分に引き出して接着し、その引き出し終端は、手または切断器で切断していた。荷造りテープは、基材に紙、布、合成構成樹脂フイルム等を用い、その基材の裏面に接着剤を配備させたものであり、対象物に対する接着力と、容易な切断性が要求されるが、特に、基材に紙、布を用いたものは、その良好な接着力と、道具なしで容易に切断できる特性を具備するものである。
【０００３】
【発明が解決しようとする課題】
近年、基材の強靭性と、強力な接着力を具え、しかも、低価格である合成樹脂フイルム製の荷造テープの普及が著しい。そこで、接着力が強いゆえに、剥がし難い、開け難い等の苦情が絶えない。また、強靭であるがゆえに道具なしでは切断ができず、開放にはカッターを必要とするものである。そこで、カッターで切断の際に内部のものを傷付ける事故が多発し、その責任をめぐって発送者と注文者との間でトラブルが発生している。発送者は、カッターが内部の発送物にとどかないように、外装を二重にするなどの保護手段を採ることが余儀なくされるため、発送費のコスト高を招いている。
【０００４】
この発明は、前記従来の欠点を解消しようとなされたもので、合成樹脂フイルム製の荷造テープの利点を生かすと共に、荷造テープが段ボール等から容易に剥がすことができるように、荷造テープを縁折りして貼着する荷造テープの縁折り貼着装置を提供しようとしてなされたものである。
【０００５】
【課題を解決するための手段】
強靭な基材と、強力な接着力を具えた合成樹脂フイルム製の荷造テープを主として使用するハンドパッケージングシーラーにおいて、手持ハンドル部の上方に荷造テープに回転抵抗を付与して回転自在に支承する架台部と、その架台部に対応し、荷造テープの外周面に連接して荷造テープの先端を剥離する角付けローラと、その角付けローラと離隔し同一面上に対応する圧着ローラと、その角付けローラと圧着ローラとの間に荷造テープの引出し部の一側縁に対応するループ型縁折りガイド部を配備したループ型縁折り機構とを具備してなる荷造テープの縁折り貼着装置であって、前記架台部は、手持ハンドル部と一体に形成する機枠における左右側板の上部背縁に弧状形に形成し、これら左右側板に上方側に角付けローラ、下方側に角付け保持縁６を差し渡して荷造テープの外周面を連接可能に設けると共に、一方の側板の内面を、荷造テープの一側外面を連接して規制する定置面に設け、架台部の軸受孔に回転自在に支承し、コイルバネの作用で架台部に連接する荷造テープの内径面に連接して荷造テープに所要の回転抵抗を付与して架台部に引き出し回転自在に弾圧支持するコ字形弾圧押え棒を配備し、前記架台部は、前記左右側板の前方側上部に支承板を差し渡し形成し、この支承板の上面に、横方向の案内溝および上下に貫通し、かつ横方向に開口するスライド許容孔を前後に平行に設け、前記荷造テープの反対の側外面に連接し、移動を規制する規制片を対設した規制板を前記支承板上に配備して前記案内溝およびスライド許容孔に沿って横方向にスライド自在であると共に、引上げ挟持片を支承板の下方に、前記スライド許容孔に貫通する固定用軸に螺合して配備し、この固定用軸の頭部を摘んで回転することにより支承板を規制板と引上げ挟持片で挟持し、規制片を荷造テープの幅に適合して定置できるように設け、前記ループ型縁折り機構は、一側にループ型縁折りガイド部を形成したガイド板の左右側縁に、前左右スライド部と後左右スライド部を、前後に所要の間隔、左右に所要幅で所要長さ突出せて設け、機枠の左右側板に、前記前左右スライド部および後左右スライド部に夫々対応して設けた前左右軸受孔と後左右軸受孔にスライド自在に嵌合し、かつガイド板の上面にナットを内臓した螺合部を設け、この螺合部に、左側板の取付孔に貫通して差し込まれた調整軸のネジ部を螺合し、調整軸の頭部をもって回転させることにより前記ガイド板を左右にスライドし、荷造テープの引き出し部の一側の縁折り部の幅を調整させてなるハンドパッケージングシーラーにおける荷造テープの縁折り貼着装置にある。
【０００６】
手持ハンドル部の上方に構成される機枠の左右側板の前端上部間に刃物台主部を差し渡し一体に形成し、その上面に突歯を具えた切断刀を交換自在に固定し、刃物台主部の後縁から上方へ、荷造テープの引き出し部を切断する時の押さえバネ板を立設してなるハンドパッケージングシーラーにおける荷造テープの縁折り貼着装置としてもよいものである。
【０００７】
【発明の実施の形態】
強靭な基材と、強力な接着力を具えた合成樹脂フイルム製の荷造テープを主として使用するハンドパッケージングシーラーにおいて、手持ハンドル部の上方に荷造テープに回転抵抗を付与して回転自在に支承する架台部と、その架台部に対応し、荷造テープの外周面に連接して荷造テープの先端を剥離する角付けローラと、その角付けローラと離隔し同一面上に対応する圧着ローラと、その角付けローラと圧着ローラとの間に荷造テープの引出し部の一側縁に対応するループ型縁折りガイド部を配備したループ型縁折り機構とを具備してなる荷造テープの縁折り貼着装置であって、前記架台部は、手持ハンドル部と一体に形成する機枠における左右側板の上部背縁に弧状形に形成し、これら左右側板に上方側に角付けローラ、下方側に角付け保持縁６を差し渡して荷造テープの外周面を連接可能に設けると共に、一方の側板の内面を、荷造テープの一側外面を連接して規制する定置面に設け、架台部の軸受孔に回転自在に支承し、コイルバネの作用で架台部に連接する荷造テープの内径面に連接して荷造テープに所要の回転抵抗を付与して架台部に引き出し回転自在に弾圧支持するコ字形弾圧押え棒を配備し、前記架台部は、左右側板の前方側上部に支承板を差し渡し形成し、この支承板の上面に、横方向の案内溝および上下に貫通し、かつ横方向に開口するスライド許容孔を前後に平行に設け、前記荷造テープの反対の側外面に連接し、移動を規制する規制片を対設した規制板を前記支承板上に配備して前記案内溝およびスライド許容孔に沿って横方向にスライド自在であると共に、引上げ挟持片を支承板の下方に、前記スライド許容孔に貫通する固定軸に螺合して配備し、この固定軸の頭部を摘んで回転することにより支承板を規制板と引上げ挟持片で挟持して規制片を荷造テープの幅に適合して定置できるように設け、前記ループ型縁折り機構は、一側にループ型縁折りガイド部を形成したガイド板の左右側縁に、前左右スライド部と後左右スライド部を、前後に所要の間隔で、左右に所要幅で所要長さ突出せて設け、機枠の左右側板に、前記前左右スライド部および後左右スライド部に夫々対応して設けた前左右軸受孔と後左右軸受孔にスライド自在に嵌合し、かつガイド板の上面にナットを内臓した螺合部を設け、この螺合部に、左側板の取付孔に貫通して差し込まれた調整軸のネジ部を螺合し、調整軸の頭部をもって回転させることにより前記ガイド板を左右にスライドし、荷造テープの引き出し部の一側の縁折り部の幅を調整させ、手持ハンドル部の上方に構成される機枠の左右側板の前端上部間に刃物台主部を差し渡し一体に形成し、その上面に突歯を具えた切断刀を交換自在に固定し、刃物台主部の後縁から上方へ、荷造テープの引き出し部を切断する時の押さえバネ板を立設してなるハンドパッケージングシーラーにおける荷造テープの縁折り貼着装置。
【０００８】
【実施例】
以下、この発明のハンドパッケージングシーラーにおける荷造テープの縁折り貼着装置を実施例として示す図面により説明すると、１は、実施例であるハンドパッケージングシーラーにおける荷造テープの縁折り貼着装置であって、手持ハンドル部２と一体に形成する機枠３における左右側板３ａ、３ｂの上部背縁に弧状形の架台部４を形成し、左右側板３ａ、３ｂに上方側の角付けローラ５と下方側の角付け保持縁６を差し渡して荷造テープ７の外周面７ａを連接可能に設けると共に、一方の左側板３ａの内面３ａ１を、荷造テープ７の一側外面７ｂ１を連接して規制する定置面に設け、架台部４の軸受孔８ａ、８ｂに回転自在に支承し、コイルバネ９の作用で架台部４に連接する荷造テープ７の内径面７ｃに連接して荷造テープ７に所要の回転抵抗を付与して架台部４に引き出し回転自在に弾圧支持するコ字形弾圧押え棒１０を配備している。
【０００９】
前記架台部４の左右側板３ａ、３ｂの前方側上部に支承板１１を差し渡し形成し、この支承板１１の上面に、横方向の案内溝１２および上下に貫通し、かつ横方向に開口するスライド許容孔１３を前後に平行に設け、前記荷造テープ７の反対の側外面７ｂ２に連接し、移動を規制する規制杆１４ａを対設した規制板１４を前記支承板１１上に配備して前記案内溝１２およびスライド許容孔１３に沿って横方向にスライド自在であると共に、引上げ挟持片１５を支承板１１の下方に、前記スライド許容孔１３に貫通する固定軸１６に螺合して配備し、この固定軸１６の頭部１６ａを摘んで回転することにより支承板１１を規制板１４と引上げ挟持片１５で挟持し、規制杆１４ａを荷造テープ７の幅に適合して定置できるように設けている。前記上方側の角付けローラ５の一側に鍔部５ａを設け、荷造テープ７の一側外面７ｂ１に連接し、該側を回転自在に規制している。
【００１０】
前記上方側の角付けローラ５と対応して圧着ローラ１７を機枠３の左右側板３ａ、３ｂの前端間に回転自在に配備し、また、その圧着ローラ１７と前記上方側の角付けローラ５との間に左右側板３ａ、３ｂに支持するループ型縁折り機構１８を配備し、上方側の角付けローラ５から荷造テープ７の先端を剥離して引き出し、その引き出し部７ｄをループ型縁折り機構１８に通過させて荷造テープ７の引き出し部７ｄの一側縁を縁折りして縁折り部７ｄ１を設け、これを圧着ローラ１７に導き、この圧着ローラ１７で縁折り部７ｄ１の対面する接着面を圧接して先端側に引き出すものである。
【００１１】
前記ループ型縁折り機構１８は、一側にループ型縁折りガイド部１９ａを形成したガイド板１９の左右側縁に、前左右スライド部２０ａ、２０ｂと後左右スライド部２１ａ、２１ｂを、前後に所要の間隔で、左右に所要幅で所要長さ突出せて設け、前記機枠３の左右側板３ａ、３ｂに、前記前左右スライド部２０ａ、２０ｂおよび後左右スライド部２１ａ、２１ｂに夫々対応して設けた前左右軸受孔２２ａ、２２ｂと後左右軸受孔２３ａ、２３ｂにスライド自在に嵌合し、かつガイド板１９の上面にナット２４ａを内臓した螺合部２４を設け、この螺合部２４に、左側板３ａの取付孔２５に貫通して差し込まれた調整軸２６のネジ部２６ａを螺合し、調整軸２６の頭部２６ｂをもって回転させることにより前記ガイド板１９を左右にスライドし、荷造テープ７の引き出し部７ｄの一側の縁折り部７ｄ１の幅を大小させるものである。また、調整軸２６には拡張コイルバネ２７を巻回外装し、その両端を左側板３ａの内面３ａ１とナット２４ａに圧接し、ガイド板１９を調整位置に保持するように設けている。
【００１２】
前記ガイド板１９の上面には、スライド表示柱２８を立設し、その上端を前記支承板１１に開口した表示孔２９に挿通して支承板１１の上面側から見えるように設け、表示孔２９内の位置により荷造テープ７の引き出し部７ｄの縁折り部７ｄ１の幅を表示できるようにしている。
【００１３】
前記機枠３の左右側板３ａ、３ｂの前端上部間に刃物台主部３０を差し渡し一体に形成し、その上面に突歯３１ａを具えた切断刀３１をネジ３２により交換自在に締着固定し、刃物台主部３０の前縁から下方へ排除板３３を垂設し、下端縁３３ａを圧着ローラ１７に所要の間隙をもって対応させ、圧着ローラ１７に巻付く荷造テープ７の引き出し部７ｄを排除するように設けている。刃物台主部３０の後縁から上方へ、荷造テープ７の引き出し部７ｄを切断する時の押さえバネ板３４を立設している。なお、ループ型縁折りガイド部１９ａの出口に下方から対応する先端ガイド部３５を左側側板３ａと一体に形成している。
【００１４】
この発明のハンドパッケージングシーラーにおける荷造テープの縁折り貼着装置の実施例のハンドパッケージングシーラーにおける荷造テープの縁折り貼着装置１は、以上のように構成されるから、荷造りテープ７を、図２に示すように、実施例のハンドパッケージングシーラーにおける荷造テープの縁折り貼着装置１には、荷造りテープ７の先端からの引出し部７ｄの外面が上方側の角付けローラ５に接し、接着剤面が反対面になるようにセットする。このときコ字形弾圧押え棒１０をコイルバネ９に抗して荷造りテープ７の内径面の中心に回動して置くと、荷造りテープ７の外周面７ａを上方側の角付けローラ５と、下方側の角付け保持縁６に連接することができ、また、荷造テープ７の一側外面７ｂ１を左側板３ａの内面３ａ１に対面し、上方側の角付けローラ５の鍔部５ａの内側に嵌入することができ、最後に規制板１４を固定軸１６を緩めて規制杆１４ａを荷造テープ７の反対の側外面７ｂ２に連接し、その状態で、固定軸１６を締め付けて固定することにより左右にガタがないように固定することができる。この時、引出し部７ｄの先端の一側縁をループ型縁折りガイド部１９ａを通過させると、内径面に沿って所要幅が１８０度折曲され、出口では接着剤面を互いに内側に接合して縁折り部７ｄ１になり、さらに、圧着ローラ１７で湾曲されることにより縁折り部７ｄ１は圧着されるのである。圧着ローラ１７は、静電気が発生するように構成されており、このため合成樹脂フイルム製の荷造テープ７を吸引するから、切断後、先端ガイド部３５にも案内されて圧着ローラ１７に所要角度巻き付き、その状態に保持される。したがって、荷造テープ７の接着面を他から離隔するに役立つものである。また、再び引き出すときにこの部分を持って容易に引き出すことがてきる。したがって、荷造テープ７の引出し部７ｄの一側縁を縁折りして接着した状態で、例えば、図６に示すように、段ボール箱３６の蓋板３６ａ、３６ｂの突合部に差し渡して接着し、これをシールすることができる。そして、最後に、押えバネ板３４をしならせ、これを軸に荷造テープ７の引出し部７ｄに切断刀３１を当ててその終端を容易に切断するものである。
【００１５】
【発明の効果】
この発明のハンドパッケージングシーラーにおける荷造テープの縁折り貼着装置は、以上のように、前記架台部は、手持ハンドル部と一体に形成する機枠における左右側板の上部背縁に弧状形に形成し、これら左右側板に上方側に角付けローラ、下方側に角付け保持縁を差し渡して荷造テープの外周面を連接可能に設けると共に、一方の側板の内面を、荷造テープの一側外面を連接して規制する定置面に設け、架台部の軸受孔に回転自在に支承し、コイルバネの作用で架台部に連接する荷造テープの内径面に連接して荷造テープに所要の回転抵抗を付与して架台部に引き出し回転自在に弾圧支持するコ字形弾圧押え棒を配備しているから、テープリールにたいして一定の回転抵抗を与えて回転自在に支承することができる。
【００１６】
また、前記架台部は、前記側板の前方側上部に支承板を差し渡し形成し、この支承板の上面に、横方向の案内溝および上下に貫通し、かつ横方向に開口するスライド許容孔を前後に平行に設け、前記荷造テープの反対の側外面に連接し、移動を規制する規制片を対設した規制板を前記支承板上に配備して前記案内溝およびスライド許容孔に沿って横方向にスライド自在であると共に、引上げ挟持片１５を支承板の下方に、前記スライド許容孔に貫通する固定軸に螺合して配備し、この固定軸の頭部を摘んで回転することにより支承板を規制板と引上げ挟持片で挟持して規制片を荷造テープ７の幅に適合して定置できるものである。
【００１７】
また、調整軸の頭部をもって回転させることによりガイド板を左右にスライドし、荷造テープの引き出し部の一側の縁折り部の幅を大小させることができ、パケージーングの紙質、商品により変えることができ、また、荷造テープの幅に誤差があっても調整し、適正に対応できるものである。
【００１８】
また、調整軸には拡張コイルバネを巻回外装し、その両端を左側板の内面とナットに圧接し、簡単な構成で確実にガイド板の位置を調整し、かつその位置を保持することができる。
【００１９】
前記ガイド板の上面には、スライド表示柱を立設し、その上端を前記支承板に開口した表示孔に挿通して支承板の上面側から見えるように設けているから、表示孔内の位置により荷造テープの引き出し部の縁折り部の幅を表示でき、調整移動量の見通しを立てやすいものである。
【００２０】
手持ハンドル部の上方に構成される機枠の左右側板の前端上部間に刃物台主部を差し渡し一体に形成し、その上面に突歯を具えた切断刀を交換自在に固定し、刃物台主部の後縁から上方へ、荷造テープの引き出し部を切断する時の押さえバネ板を立設しているから、荷造テープの引き出し部の終端を押えて確実に切断をすることができる。
【００２１】
よって、この発明のハンドパッケージングシーラーにおける荷造テープの縁折り貼着装置は、合成樹脂フイルム製の荷造テープの一側縁を折り曲げて接着し、裏面の一部に接着剤面がなくなるから、強力な接着力を生かしながら、その接着剤の無い面を手掛かりにカッターを使用しないで段ボール等から容易に荷造テープを剥がすことができ、包装について簡易化を図り、荷造りコストの低減に寄与できるものである。
【００２２】
【図面の簡単な説明】
【図１】  図面はこの発明の実施例であるハンドパッケージングシーラーにおける荷造テープの縁折り貼着装置を背面上方から見た外観斜視図である。
【図２】  同じく、その縦断側面図である。
【図３】  同じく、この発明の実施例であるハンドパッケージングシーラーにおける荷造テープの縁折り貼着装置の前部の縁折りループガイドにおいて荷造テープの縁折り状態を示す部分底面図である。
【図４】  同じく、この発明の実施例であるハンドパッケージングシーラーにおける荷造テープの縁折り貼着装置の縁折りループガイドの折り幅調整機構部を後方からみた横断背面図である。
【図５】  同じく、この発明の実施例であるハンドパッケージングシーラーにおける荷造テープの縁折り貼着装置の要部の縁折りループガイドにおける縁折り状態を下方から見た作用説明図である。
【図６】  同じく、この発明の実施例であるハンドパッケージングシーラーにおける荷造テープの縁折り貼着装置を用いて段ボール箱の蓋部分を荷造テープで貼着作業状態を示す斜視図である。
【符号の説明】
１  ハンドパッケージングシーラーにおける荷造テープの縁折り貼着装置
２  手持ハンドル部
３  機枠
３ａ  左側板
３ａ１  内面
３ｂ  右側板
４  架台部
５  上方側の角付けローラ
５ａ  鍔部
６  下方側の角付け保持縁
７  荷造テープ
７ａ  外周面
７ｂ１  一側外面
７ｂ２  反対の側外面
７ｃ  内径面
７ｄ  引き出し部
７ｄ１  縁折り部
８ａ  軸受孔
８ｂ  軸受孔
９  コイルバネ
１０  コ字形弾圧押え棒
１１  支承板
１２  案内溝
１３  スライド許容孔
１４  規制板
１４ａ  規制杆
１５  引上げ挟持片
１６  固定軸
１６ａ  頭部
１７  圧着ローラ
１８  ループ型縁折り機構
１９  ガイド板
１９ａ  ループ型縁折りガイド部
２０ａ  前左スライド部
２０ｂ  前右スライド部
２１ａ  後左スライド部
２１ｂ  後右スライド部
２２ａ  前左軸受孔
２２ｂ  前右軸受孔
２３ａ  後左軸受孔
２３ｂ  後右軸受孔
２４  螺合部
２４ａ  ナット
２５  取付孔
２６  調整軸
２６ａ  ネジ部
２６ｂ  頭部
２７  拡張コイルバネ
２８  スライド表示柱
２９  表示孔
３０  刃物台主部
３１  切断刀
３１ａ  突歯
３２  ネジ
３３  排除板
３３ａ  下端縁
３４  押さえバネ板
３５  先端ガイド部
３６  段ボール箱
３６ａ  蓋板
３６ｂ  蓋板
【図１】
0003743979.tif 000002
【図２】
0003743979.tif 000003
【図３】
0003743979.tif 000004
【図４】
0003743979.tif 000005
【図５】
0003743979.tif 000006
【図６】
0003743979.tif 000007